(57)【要約】【課題】  物体を容易に取り外すことができる挟持機構と、洗濯物の取り外しを容易にした洗濯バサミを持つ洗濯物干し用ハンガーの提供。【解決手段】  洗濯物を挟持する複数の洗濯バサミ（挟持機構）を備える洗濯物干し用ハンガーにおいて、洗濯バサミが、洗濯物を挟持する一対の下端部１１ｂと、該下端部１１ｂと軸１２を中心として開閉することにより下端部１１ｂを開閉する一対の上端部１１ａと、該一対の上端部１１ａが開く方向にバネ力を付加するバネ１３とを備え、前記一対の上端部１１ａに通電に基づく磁力の吸引により前記一対の上端部１１ａをバネ力に抗して閉じるコイル部１４及び磁石部１５を備えることにより、複数の洗濯バサミ１０を同時に開き、これにより洗濯物を一斉に且つ容易に取り外すことができる。【選択図】  図１
2005278937.tif 000002
【特許請求の範囲】
【請求項１】
物体を挟持する一対の挟持部と、該挟持部と軸を中心として開閉することにより前記挟持部を開閉する一対の作用部と、該一対の作用部が開く方向にバネ力を付加するバネとを備え、前記一対の作用部が、通電に基づく磁力の吸引により前記一対の作用部を前記バネ力に抗して閉じる磁気手段を備えることを特徴とする挟持機構。
【請求項２】
洗濯物を挟持する複数の洗濯バサミを備える洗濯物干し用ハンガーであって、前記洗濯バサミが、洗濯物を挟持する一対の挟持部と、該挟持部と軸を中心として開閉することにより前記挟持部を開閉する一対の作用部と、該一対の作用部が開く方向にバネ力を付加するバネとを備え、前記一対の作用部が、通電に基づく磁力の吸引により前記一対の作用部を前記バネ力に抗して閉じる磁気手段を設けたことを特徴とする洗濯物干し用ハンガー。
【請求項３】
請求項２記載の洗濯物干し用ハンガーにおいて、前記磁気手段が、一方の作用部に取り付けられ、通電により磁界を発生するコイル部と、他方の作用部に取り付けられ、前記コイル部への通電よりコイル部内部に吸引される磁石部とから構成されることを特徴とする洗濯物干し用ハンガー。
【請求項４】
請求項２記載の洗濯物干し用ハンガーにおいて、前記磁気手段が、一対の作用部に取り付けられ、通電により互いを磁気的に吸引する磁界を発生する一対の電磁石から構成されることを特徴とする洗濯物干し用ハンガー。
【発明の詳細な説明】
【技術分野】
【０００１】
本発明は、物体を挟持する挟持機構及び該挟持機構を洗濯バサミに適用して洗濯物を一斉に且つ容易に洗濯バサミより外すことができる洗濯物干し用ハンガーに係り、特に電磁力を利用して物体を挟持部から容易に取り外すことができる挟持機構及び洗濯物干し用ハンガーに関する。
【背景技術】
【０００２】
一般に洗濯物干し用ハンガーは、洗濯物を挟持するための洗濯バサミを複数備え、この洗濯バサミは、洗濯物の一部を挟持すために下端に配された一対の挟持部と、該挟持部を開閉するために軸を介して開閉する一対の作用部と、該一対の作用部が開く方向にバネ力を付加するバネとを備え、該バネのバネ力に抗して作用部を閉じることにより前記一対の挟持部が開き、前記作用部がバネ力によって開くことにより挟持部を閉じて洗濯物を挟持する様に構成されている。
【０００３】
尚、前記洗濯物干し用ハンガーの洗濯バサミに関する技術が記載された文献としては、例えば下記特許文献が挙げられる。
【特許文献１】特開平７９−２８９９０号公報
【特許文献２】特開平２００１−１４９６９４号公報
【発明の開示】
【発明が解決しようとする課題】
【０００４】
前記洗濯物干し用ハンガーは、多数の洗濯物を外す場合、人手により全ての洗濯バサミの作用部を開かなければならず、洗濯物の取り外し作業が繁雑であると言う不具合があった。特に多数の洗濯物を取り外す際には、前記洗濯物の取り外し作業が繁雑なため、主婦等のストレスの原因になり、また洗濯業者等の業務用においては多大な人手及び時間を要すると言う不具合があった。
【０００５】
また洗濯バサミに限らずの物体を挟持して仮止めを行う挟持機構においても、多数の挟持機構により挟持した物体を一斉に取り外すには多大な取り外し作業が必要であり、人手及び時間を要すると言う不具合があった。例えば医療現場における術中／入院ベッド周囲に使用されるカーテンを一時的に把持する挟持機構や、美術舞台装置におけるカーテン／幕を一時的に把持する挟持機構においても前述と同様に取り外し作業が繁雑且つ時間を要すると言う不具合があった。特に病院に使用されるカーテン等は、手術等の施術により血液等の体液が付着することがあり、人手により前記挟持機構を操作した場合、前記体液が人手を介して作業者に付着して感染を招く恐れがあり、人手を介さずに挟持機構からカーテン等を取り外すことが望まれていた。
【０００６】
本発明の目的は、前記従来技術による不具合を除去することであり、挟持した物体を容易に取り外すことができる挟持機構並びに洗濯物を一斉に且つ容易に洗濯バサミより外すことができる洗濯物干し用ハンガーを提供することである。
【課題を解決するための手段】
【０００７】
前記目的を達成するために本発明は、挟持機構を、物体を挟持する一対の挟持部と、該挟持部と軸を中心として開閉することにより前記挟持部を開閉する一対の作用部と、該一対の作用部が開く方向にバネ力を付加するバネとを備え、前記一対の作用部が、通電に基づく磁力の吸引により前記一対の作用部を前記バネ力に抗して閉じる磁気手段とから構成することを第１の特徴とする。
【０００８】
前記目的を達成するため本発明は、洗濯物を挟持する複数の洗濯バサミを備える洗濯物干し用ハンガーにおいて、前記洗濯バサミが、洗濯物を挟持する一対の挟持部と、該挟持部と軸を中心として開閉することにより前記挟持部を開閉する一対の作用部と、該一対の作用部が開く方向にバネ力を付加するバネとを備え、前記一対の作用部が、通電に基づく磁力の吸引により前記一対の作用部を前記バネ力に抗して閉じる磁気手段を備えることを第２の特徴とする。
【０００９】
更に本発明は、前記洗濯物干し用ハンガーにおいて、前記磁気手段が、一方の作用部に取り付けられ、通電により磁界を発生するコイル部と、他方の作用部に取り付けられ、前記コイル部への通電よりコイル部内部に吸引される磁石部とから構成されることを第３の特徴とし、第２の特徴の洗濯物干し用ハンガーにおいて、前記磁気手段が、一対の作用部に取り付けられ、通電により互いを磁気的に吸引する磁界を発生する一対の電磁石から構成されることを第４の特徴とする。
【発明の効果】
【００１０】
本発明による挟持機構及び洗濯物干し用ハンガーは、物体や洗濯物の取り外し時に、前記一対の作用部が、磁気手段によって通電に基づく磁力の吸引によりバネ力に抗して閉じる作用を成すため、複数の挟持機構や洗濯バサミの挟持部を同時に開くことができ、これにより物体及び洗濯物を一斉に且つ容易に洗濯バサミより外すことができる。
【発明を実施するための最良の形態】
【００１１】
以下、本発明による挟持機構を洗濯バサミに適用した実施形態による洗濯物干し用ハンガーを図面を参照して詳細に説明する。図１は本実施形態による洗濯物干し用ハンガーに好適な洗濯バサミを説明するための図、図２は本実施形態による洗濯物干し用ハンガーの全体構成図、図３は本実施形態に使用されるスイッチ及びソケットを示す図、図４は本実施形態による洗濯バサミに使用されるプランジャの動作を説明するための図、図５は本実施形態に使用される電気回路を示す図である。
【００１２】
まず本実施形態による洗濯物干し用ハンガーは、図２に示す如く、複数の洗濯バサミ１０と、該複数の洗濯バサミ１０をつり下げて保持するハンガー本体の４つの角部と一端を連結する４本の鉄製鎖２０と、該４本の鉄製鎖２０の他端と纏めて連結し、上端にフック部を有する干さおフック２４と、前記複数の洗濯バサミ１０と電気的に導通する配線１６（図２）を介して前記干さおフック２４に係止された変電機２１及びソケット２２とを備える。また前記ソケット２２には、外気において洗濯物を干す際に防水を行う防水キャップ２５（図３）が取り付けられる。また前記複数の洗濯バサミ１０と変電機２１とは配線により並列的に導通しており、一部の洗濯バサミ１０と変電機２１間が断線した場合であっても、他の配線の導通を維持するように構成されている。更に変電機２１は、後述する洗濯物の取り外し時以外においては邪魔にならないように、前記フック２４下部の部位、例えば鎖２０を連結する笠部分に磁石又は小型フックによって、仮固定可能なように構成されている。
【００１３】
前記洗濯バサミ１０は、図１に示す如く、洗濯物の一部を挟持するために下端に配された挟持部に相当する一対の下端部１１ｂと該下端部１１ｂを開閉するために軸１２を介して開閉する作用部に相当する一対の上端部１１ａとにより成るハサミ本体１１と、該ハサミ本体１１の一対の上端部１１ａ間に配置されたバネ１３と、一方の上端部１１ａに配されたコイル部１４と、他方の上端部１１ａに該コイル部１４のコイル内に挿入される様に配された磁石部１５と、前記コイル部１４に通電するための配線１６と、前記下端部１１ｂの先端に配され、互いに吸引する磁力を発生する普通磁石１８とを備える。
【００１４】
前記変電機２１は、図３に示す如くソケット２２からの一般家庭用交流電流を直流に変電及び降圧するものであって、図５に示す如く、ソケット２２からの一般家庭用交流電流を直流に変電するためのＡＣ／ＤＣコンバータ３１と、該ＡＣ／ＤＣコンバータ３１により直流に変換した電流の電圧を下げるための降圧回路３２と、該降圧回路３２の出力電流を瞬間的に外部に供給するための瞬間スイッチ３３とを備える。尚、本実施形態における変電機２１の瞬間スイッチ３３が、電力を瞬間的に供給する理由は、後述する洗濯バサミ１０の下端部１１ｂを開く時間は、洗濯物が重力により落下する短時間（例えば０．５秒〜１秒）で良く、長時間給電した際の加熱による回路部品の破損や燃焼を防止するためである。
【００１５】
前記コイル部１４は、図４（ａ）に示す如く、導通する配線が巻成され、この配線を合成樹脂等によって固めたものであり、磁石部１５は円柱形状であり、保持力が強力な例えば希土類磁石が好ましい。これらコイル部１４と磁石部１５は、図１に示した洗濯バサミ１０が閉じた状態においては、図４（ｂ）に示す如く、コイル部１４の円筒状内部に磁石部１５の約半分を挿入した配置に成るように洗濯バサミ１０に取り付けられ、コイル部１４に導通してコイル部１４に磁界が発生して磁石部１５をコイル部１４の内部に取り込む磁力が発生し、洗濯バサミ１０が閉じた状態においては、図４（ｃ）に示す如く、コイル部１４内部に磁石部１５の大部分が挿入される様に洗濯バサミ１０に取り付けられている。
【００１６】
尚、前記コイル部１４と磁石部１５の形状及び配置は、前記の例に限られるものではなく、例えば洗濯バサミ１０のコイル部１４が取り付けられる上端部１１ａに磁石部１５が貫通する貫通孔を設けると共に、磁石部１５を図４（ｄ）及び（ｅ）に示す如く、長尺状に形成し、洗濯バサミ１０を閉じた状態においてもコイル部１４内に磁石部１５を長く配置させることにより、起動時の磁力を増加させる様に構成しても良い。
【００１７】
この様に構成された洗濯物干し用ハンガーは、洗濯物を干す際には、前記上端部１１ａを人手により閉じることにより下端部１１ｂを開け、この下端部１１ｂ間に洗濯物を位置した状態で上端部１１ａを離すことにより、バネ１３のバネ力によって下端部１１ｂが閉じて洗濯物を挟持するものである。また前記下端部１１ｂに取り付けた普通磁石１８は、洗濯物を挟持する際にバネ１３によるバネ力を補助する作用を成す。
【００１８】
さて洗濯物干し用ハンガーは、洗濯物を外す際には、前記ソケット２２を家庭用交流電源のコンセントに挿入し、変電機２１の瞬間スイッチ３３を押すことにより、直流電流が配線１６を介して洗濯バサミ１０の一方の上端部１１ａに配したコイル部１４に瞬間的（或いは短時間）に印可され、この印可によってコイル部１４に磁界が発生して他方の上端部１１ａに取り付けられた磁石部１５を吸引し、この吸引により一対の上端部１１ａを閉じ、下端部１１ｂが開く様に動作する。従って本実施形態による洗濯物干し用ハンガーは、洗濯物の取り外し時に、コイル部１４及び磁石部１５により構成されるプランジャ（磁気手段）が通電に基づく磁力の吸引によりバネ力に抗して上端部１１ａを開く作用を成すため、複数の洗濯バサミの挟持部を開くことができ、これにより洗濯物を一斉に且つ容易に洗濯バサミより外すことができる。
【００１９】
尚、前記実施形態においては、洗濯バサミ１０の上端部を閉じる手段としてコイル部１４及び磁石部１５とから成る磁気手段を用いる例を説明したが、本発明はこれに限られるものではなく、例えば、互いに磁気的吸引力を発生する電磁石を一対の上端部に配置し、通電によって前記電磁石どおしを吸引させることにより下端部を開く様に構成することでき、更に前記両実施形態に加え、下端部の軸に近い位置に下端部を開く方向に反発する磁界を発生する電磁石を配置し、上端部の磁気手段が上端部を閉じる作用を成すと共に下端部においても開く作用とを設ける様に構成しても良い。
【００２０】
また前記実施形態においては、本発明による挟持機構を洗濯バサミに適用した例を説明したが、本発明は実施形態に限られるものではなく、例えば医療現場における術中／入院ベッド周囲に使用されるカーテンを一時的に把持する挟持機構や、美術舞台装置におけるカーテン／幕を一時的に挟持する挟持機構等の、他の挟持機構にも適用することができる。特に病院に使用されるカーテン等は、手術等の施術により血液等の体液がカーテンに付着することがあり、人手により前記挟持機構を操作した場合、前記体液が人手を介して作業者に付着して感染を招く恐れがあるが、本発明による挟持機構は前記感染等を予防することもできる。
【図面の簡単な説明】
【００２１】
【図１】本発明の一実施形態による洗濯物干し用ハンガーに好適な洗濯バサミを説明するための図。
【図２】本発明の一実施形態による洗濯物干し用ハンガーの全体構成図。
【図３】本実施形態に使用されるスイッチ及びソケットを示す図。
【図４】本実施形態による洗濯バサミに使用されるプランジャの動作を説明するための図。
【図５】本実施形態に使用される電気回路を示す図。
【符号の説明】
【００２２】
１０：洗濯バサミ、１１：ハサミ本体、１１ａ：上端部、１１ｂ：下端部、１２：軸、１３：バネ、１４：コイル部、１５：磁石部、１６：配線、１８：普通磁石、２０：鉄製鎖、２１：変電機、２２：ソケット、２４：フック、２５：防水キャップ、３１：ＡＣ／ＤＣコンバータ、３２：降圧回路、３３：瞬間スイッチ。
【図１】
2005278937.tif 000003
【図２】
2005278937.tif 000004
【図３】
2005278937.tif 000005
【図４】
2005278937.tif 000006
【図５】
2005278937.tif 000007